(57)【特許請求の範囲】
【請求項１】
使用者の胴体を支持できるように構成された支持具であって、ベースを有する患者用椅子と共に使用されるようになっており、
（ａ）前記患者用椅子に座る患者ではない使用者が、使用者の腹部領域、胸部領域及び前肩領域を含む胴体をもたれ掛からせることができるパッド入りレストと、
（ｂ）前記ベースに連結された水平なトラックを含む移動構造であって、前記移動構造は、前記水平なトラック上の前記ベースに沿ってリニアに移動することができると共に、前記水平なトラックに沿った前記ベースに対するリニアな移動に対して一時的に第１の位置に固定することができ、その後、前記水平なトラック上の前記ベースに沿う前記移動構造のリニアな移動を再び可能にするように、前記移動構造を前記第１の位置から解放することができる移動構造と、
（ｃ）前記移動構造を前記パッド入りレストに連結する支持構造であって、前記支持構造は、前記パッド入りレストが回動できるように固定された傾斜ブラケット、前記移動構造に固定された直立ブラケット、及び前記傾斜ブラケットを前記直立ブラケットに連結するカプラを備え、前記カプラは、ねじ摩擦ロックを備えたボールスイベル含み、前記傾斜ブラケットが前記直立ブラケットに対して如何なる方向にも傾斜されるのを許容する支持構造と、
を有することを特徴とする支持具。
【請求項２】
前記移動構造は、歯科用椅子、該歯科用椅子に隣接して配置されたベース、およびデスクからなる群のうちの１つに対して作動可能に連結できるように構成されていることを特徴とする請求項１記載の支持具。
【請求項３】
前記カプラは、前記移動構造に対する前記パッド入りレストの回動を許容する請求項２記載の支持具。
【請求項４】
前記回動構造は、前記パッド入りレストが前記傾斜ブラケットに対して回動するのを可能にする請求項３記載の支持具。
【請求項５】
前記カプラは、前記パッド入りレストが前記支持構造に対して回動するのを許容にする請求項１記載の支持具。
【請求項６】
前記回動構造は、前記パッド入りレストが前記傾斜ブラケットに対して回動するのを可能にする請求項５記載の支持具。
【請求項７】
更に、前記移動構造、前記支持構造および前記パッド入りレストのうちの少なくとも１つと共に作動可能な延長構造を有し、前記パッド入りレストが、前記ベースから更に離れて延長され、及び／又は前記ベースの方に引っ込められるのを可能にする請求項６記載の支持具。
【請求項８】
更に、前記移動構造、前記支持構造および前記パッド入りレストのうちの少なくとも１つと共に作動可能な延長構造を有し、前記パッド入りレストが、前記ベースから更に離れて延長され、及び／又は前記ベースの方に引っ込められるのを可能にする請求項１記載の支持具。
【請求項９】
前記移動構造が、長さを有するトラックを含み、前記移動構造は、前記トラックの前記長さに沿って作動的に移動可能である請求項１記載の支持具。
【請求項１０】
使用者の胴体を支持できるように構成された支持具であって、ベースを有する患者用椅子と共に使用されるようになっており、
（ａ）前記患者用椅子に座る患者ではない使用者が、使用者の腹部領域、胸部領域及び前肩領域を含む胴体をもたれ掛からせることができるパッド入りレストであって、前記パッド入りレストは、前面及び後面を有し、使用者が前記前面から前記パッド入りレストに接近して、前記パッド入りレストに胴体をもたれ掛からせることができるように構成され、取り付けられているパッド入りレストと、
（ｂ）前記ベースに連結された水平なトラックを含む移動構造であって、前記移動構造は、前記水平なトラック上の前記ベースに沿ってリニアに移動することができると共に、前記ベースに対するリニアな移動に対して一時的に第１の位置で前記水平なトラックに固定することができ、その後、前記水平なトラック上の前記ベースに沿う前記移動構造のリニアな移動を再び可能にするように、前記移動構造を前記第１の位置から解放することができる移動構造と、
（ｃ）前記移動構造を前記パッド入りレストに連結する支持構造であって、前記支持構造は、前記パッド入りレストが回動できるように、前記パッド入りレストに直接固定された傾斜ブラケット、前記移動構造に固定された直立ブラケット、及び前記傾斜ブラケットを前記直立ブラケットに連結するカプラを備え、前記カプラは、前記傾斜ブラケットが前記直立ブラケットに対して如何なる方向にも傾斜されるのを許容する支持構造と、
を有することを特徴とする支持具。
【請求項１１】
前記パッド入りレストは、前記支持構造に対して、前記移動構造が横切る前記トラックの少なくとも一部に平行な方向に延びる回動軸線を中心に回動する請求項１０記載の支持具。
【請求項１２】
更に、前記移動構造、前記支持構造および前記パッド入りレストのうちの少なくとも１つと共に作動可能な延長構造を有し、前記パッド入りレストが、前記ベースから更に離れて延長され、及び／又は前記ベースの方に引っ込められるのを可能にする請求項１１記載の支持具。
【請求項１３】
前記移動構造は、歯科用椅子、該歯科用椅子に隣接して配置されたベース、およびデスクからなる群のうちの１つに対して作動可能に連結できるように構成されていることを特徴とする請求項１０記載の支持具。
【請求項１４】
更に、前記移動構造、前記支持構造および前記パッド入りレストのうちの少なくとも１つと共に作動可能な延長構造を有し、前記パッド入りレストが、前記ベースから更に離れて延長され、及び／又は前記ベースの方に引っ込められるのを可能にする請求項１０記載の支持具。
【請求項１５】
使用者の胴体を支持できるように構成された支持具であって、ベースを有する患者用椅子と共に使用されるようになっており、
（ａ）前記患者用椅子に座る患者ではない使用者が、使用者の腹部領域、胸部領域及び前肩領域を含む胴体をもたれ掛からせることができるパッド入りレストと、
（ｂ）前記ベースに連結された水平なトラックを含む移動構造であって、前記移動構造は、前記水平なトラック上の前記ベースに沿ってリニアに移動することができると共に、前記水平なトラックに沿った前記ベースに対するリニアな移動に対して一時的に第１の位置に固定することができ、その後、前記水平なトラック上の前記ベースに沿う前記移動構造のリニアな移動を再び可能にするように、前記移動構造を前記第１の位置から解放することができる移動構造と、
（ｃ）前記移動構造を前記パッド入りレストに連結する支持構造であって、前記支持構造は、回動構造により前記パッド入りレストに回動可能に連結された傾斜ブラケット、前記移動構造に固定された直立ブラケット、及び前記傾斜ブラケットを前記直立ブラケットに連結するカプラを備え、前記カプラは、ねじ摩擦ロックを備えたボールスイベル含み、前記傾斜ブラケットが前記直立ブラケットに対して如何なる方向にも傾斜されるのを許容する支持構造と、
を有することを特徴とする支持具。
【請求項１６】
前記パッド入りレストは、前面及び後面を有し、使用者が前記前面から前記パッド入りレストに接近して、前記パッド入りレストに胴体をもたれ掛からせ、前記回動構造の回動軸線を横切ることができるように構成され、取り付けられている請求項１５記載の支持具。
【請求項１７】
前記回動構造は、前記パッド入りレストが前記支持構造に対して回動するのを可能にする請求項１６記載の支持具。
【請求項１８】
前記移動構造は、歯科用椅子、該歯科用椅子に隣接して配置されたベース、およびデスクからなる群のうちの１つに対して作動可能に連結できるように構成されていることを特徴とする請求項１５記載の支持具。
【請求項１９】
更に、前記移動構造、前記支持構造および前記パッド入りレストのうちの少なくとも１つと共に作動可能な延長構造を有し、前記パッド入りレストが、前記ベースから更に離れて延長され、及び／又は前記ベースの方に引っ込められるのを可能にする請求項１８記載の支持具。
【請求項２０】
前記回動構造は、前記パッド入りレストが前記支持構造に対して回動するのを可能にする請求項１５記載の支持具。
【請求項２１】
更に、前記移動構造、前記支持構造および前記パッド入りレストのうちの少なくとも１つと共に作動可能な延長構造を有し、前記パッド入りレストが、前記ベースから更に離れて延長され、及び／又は前記ベースの方に引っ込められるのを可能にする請求項１５記載の支持具。
【請求項２２】
更に、前記移動構造、前記支持構造および前記パッド入りレストのうちの少なくとも１つと共に作動可能な延長構造を有し、前記パッド入りレストが、前記ベースから更に離れて延長され、及び／又は前記ベースの方に引っ込められるのを可能にする請求項１７記載の支持具。
【請求項２３】
前記水平方向のトラックが、長さを含み、前記支持構造は、前記長さに沿って作動的に移動可能である請求項１５記載の支持具。
【請求項２４】
前記水平方向のトラック及び前記支持構造の少なくとも１つは、前記水平方向のトラックの前記長さに沿う移動に対して、前記支持構造を一時的にロックするように構成されたロック構造を含む請求項２３記載の支持具。
【請求項２５】
使用者の胴体を支持できるように構成された支持具であって、ワークステーションと共に使用されるようになっており、
（ａ）加工を行うべき物体を支持する基板と、
（ｂ）基板と関連して物体を加工する間に、使用者の腹部領域、胸部領域及び前肩領域を含む胴体をもたれ掛からせることができるパッド入りレストと、
（ｃ）  前記基板に連結された水平なトラックを含む移動構造であって、前記移動構造は、前記水平なトラック上の前記基板に沿ってリニアに移動することができると共に、前記水平なトラックに沿った前記基板に対するリニアな移動に対して一時的に第１の位置に固定することができ、その後、前記水平なトラック上の前記基板に沿う前記移動構造のリニアな移動を再び可能にするように、前記移動構造を前記第１の位置から解放することができる移動構造と、
（ｄ）前記移動構造を前記パッド入りレストに連結する支持構造であって、前記支持構造は、前記パッド入りレストが回動できるように固定された傾斜ブラケット、前記移動構造に固定された直立ブラケット、及び前記傾斜ブラケットを前記直立ブラケットに連結するカプラを備え、前記カプラは、ねじ摩擦ロックを備えたボールスイベル含み、前記傾斜ブラケットが前記直立ブラケットに対して如何なる方向にも傾斜されるのを許容する支持構造と、
を有することを特徴とする支持具。
【請求項２６】
さらに、前記パッド入りレスト及び前記支持構造の少なくとも１つに作動的に結合された回動構造を有する請求項２５記載の支持具。
【請求項２７】
前記移動構造は、デスクに作動的に結合可能に構成されている請求項２５記載の支持具。
【請求項２８】
更に、前記移動構造、前記支持構造および前記パッド入りレストのうちの少なくとも１つと共に作動可能な延長構造を有し、前記パッド入りレストが、前記基板から更に離れて延長され、及び／又は前記基板の方に引っ込められるのを可能にする請求項２５記載の支持具。
【請求項２９】
使用者の胴体を支持できるように構成された支持具であって、主な仕事として製造作業が作業者によって行われるワークステーションを備えた製造設備と共に使用されるようになっており、ワークステーション各々は前記支持具を含み、前記支持具は、
（ａ）使用者が、使用者の腹部領域、胸部領域及び前肩領域を含む胴体をもたれ掛からせることができるパッド入りレストと、
（ｂ）前記ワークステーション各々に連結された水平なトラックを含む移動構造であって、前記移動構造は、前記水平なトラックに沿ってリニアに移動することができると共に、前記水平なトラックに沿った関連した前記ワークステーションに対するリニアな移動に対して一時的に第１の位置に固定することができ、その後、前記水平なトラック上の関連した前記ワークステーションに沿う前記移動構造のリニアな移動を再び可能にするように、前記移動構造を前記第１の位置から解放することができる移動構造と、
（ｃ）前記移動構造を前記パッド入りレストに連結する支持構造であって、前記支持構造は、前記パッド入りレストが回動できるように固定された傾斜ブラケット、前記移動構造に固定された直立ブラケット、及び前記傾斜ブラケットを前記直立ブラケットに連結するカプラを備え、前記カプラは、ねじ摩擦ロックを備えたボールスイベル含み、前記傾斜ブラケットが前記直立ブラケットに対して如何なる方向にも傾斜されるのを許容する支持構造と、
を有することを特徴とする支持具。
【請求項３０】
前記移動構造は、前記ワークステーションの各々に結合され、前記移動構造は、前記ワークステーションと前記支持構造の間のインターフェイスとして機能し、前記移動構造の前記ワークステーションへの結合は、前記ワークステーションに対する前記移動構造の移動、従って、前記支持具の移動を可能にするように作用する請求項２２記載の支持具。
【請求項３１】
さらに、前記パッド入りレスト及び前記支持構造の少なくとも１つと作動的に結合される回動構造を有する請求項３０記載の支持具。
【請求項３２】
少なくとも前記第一及び第二ワークステーションは、全体として閉鎖された建物内に配置されている請求項３１記載の支持具。
【請求項３３】
さらに、前記パッド入りレスト及び前記支持構造の少なくとも１つと作動的に結合される回動構造を有する請求項２９記載の支持具。
【請求項３４】
前記回動構造は、前記パッド入りレストが前記支持構造に対して回動するのを可能にする請求項３３記載の支持具。
【請求項３５】
少なくとも前記第一及び第二ワークステーションは、全体として閉鎖された建物内に配置されている請求項２９記載の支持具。
【請求項３６】
前記パッド入りレストは、使用者の胴体の重さを快適にもたれ掛けることができる長さおよび幅方向に充分広いインターフェース面を有し、前記支持具は、前記パッド入りレストの高さおよび水平平面に対するインターフェース面の角度の少なくとも１つに関して、前記ワークステーションに対するレストの調節を可能にする調節構造を含む請求項２９記載の支持具。
【請求項３７】
前記調節構造は、前記パッド入りレストが前記支持構造に対して回動するのを可能にする請求項３６記載の支持具。
【請求項３８】
前記水平なトラックは長さを有し、前記支持構造は前記長さに沿って作動的に移動可能である請求項２９記載の支持具。
【請求項３９】
さらに、前記水平なトラックの前記長さに沿う移動に対して、前記支持構造を一時的にロックするように構成されたロック構造を含む請求項３８記載の支持具。
【請求項４０】
使用者の胴体を支持できるように構成された支持具であって、ベースを有する歯科用椅子と共に使用されるようになっており、
（ａ）前記患者用椅子に座る患者ではない使用者が、使用者の腹部領域、胸部領域及び前肩領域を含む胴体をもたれ掛からせることができるパッド入りレストと、
（ｂ）前記ベースに連結された水平なトラックを含む移動構造であって、前記移動構造は、前記水平なトラック上の前記ベースに沿ってリニアに移動することができると共に、前記水平なトラックに沿った前記ベースに対するリニアな移動に対して一時的に第１の位置に固定することができ、その後、前記水平なトラック上の前記ベースに沿う前記移動構造のリニアな移動を再び可能にするように、前記移動構造を前記第１の位置から解放することができる移動構造と、
（ｃ）前記移動構造を前記パッド入りレストに連結する支持構造であって、前記支持構造は、前記パッド入りレストが回動できるように固定された傾斜ブラケット、前記移動構造に固定された直立ブラケット、及び前記傾斜ブラケットを前記直立ブラケットに連結するカプラを備え、前記カプラは、ねじ摩擦ロックを備えたボールスイベル含み、前記傾斜ブラケットが前記直立ブラケットに対して如何なる方向にも傾斜されるのを許容する支持構造と、
を有することを特徴とする支持具。
【請求項４１】
使用者の胴体を支持できるように構成された支持具であって、ベースを有するワークベンチと共に使用されるようになっており、
（ａ）使用者が、使用者の腹部領域、胸部領域及び前肩領域を含む胴体をもたれ掛からせることができるパッド入りレストと、
（ｂ）前記ベースに連結された水平なトラックを含む移動構造であって、前記移動構造は、前記水平なトラック上の前記ベースに沿ってリニアに移動することができると共に、前記水平なトラックに沿った前記ベースに対するリニアな移動に対して一時的に第１の位置に固定することができ、その後、前記水平なトラック上の前記ベースに沿う前記移動構造のリニアな移動を再び可能にするように、前記移動構造を前記第１の位置から解放することができる移動構造と、
（ｃ）前記移動構造を前記パッド入りレストに連結する支持構造であって、前記支持構造は、前記パッド入りレストが回動できるように固定された傾斜ブラケット、前記移動構造に固定された直立ブラケット、及び前記傾斜ブラケットを前記直立ブラケットに連結するカプラを備え、前記カプラは、ねじ摩擦ロックを備えたボールスイベル含み、前記傾斜ブラケットが前記直立ブラケットに対して如何なる方向にも傾斜されるのを許容する支持構造と、
を有することを特徴とする支持具。
【請求項４２】
使用者によって第１の場所から第２の場所に持ち運ぶことができる支持具であって、
（ａ）もたれ掛かり位置において使用者を支持するために使用することができるパッド入りレストであって、前記パッド入りレストは、使用者の肩を越えて配置されるに十分な長さを有し、前記パッド入りレストに固定されたボディストラップを備えたパッド入りレストと、
（ｂ）前記パッド入りレストの第一端部で、第一カプラによって作動可能に連結される直立ブラケットであって、前記第一カプラは、ねじ摩擦ロックを備えたボールスイベルを含み、前記第一カプラは、前記パッド入りレストが前記直立ブラケットに対して傾斜されるのを可能にする直立ブラケットと、
（ｃ）第二カプラによって前記直立ブラケットの第二端部に作動可能に連結されるフットプレートであって、前記第二カプラは、ねじ摩擦ロックを備えたボールスイベルを含み、前記第二カプラは、前記直立ブラケットが前記フットプレートに対して傾斜されるのを可能にするフットプレートと、
を有することを特徴とする支持具。
【発明の詳細な説明】
【技術分野】
【０００１】
本発明は、広くは支持具に関し、より詳しくは、ヘルスケア産業および人が、前方にかがむ環境、反復して前方にかがむ環境および／または長時間前方にかがむ環境で使用するための前かがみ支持具（anterior support device）に関する。
【背景技術】
【０００２】
多くの人は、彼らの作業環境または他の日常活動により引起こされる下背痛および機能障害を患っている。この背痛および機能障害の主な原因として、反復活動または長時間活動がある。彼らの仕事を続けるためには、背痛等を患っている人はその作業領域を大きく変えなくてはならない。多くの場合、人々は、他の就業分野を選択しなければならない。
【０００３】
このような１つの例として、歯科医がある。歯科医は、患者の上に前かがみになった姿勢で、その就業日のかなりの時間を費やす。この姿勢は、後椎間板障害および／または背痛および障害を引起こす他の原因となる。歯科医の場合、背痛は、早期引退の主要原因の１つである。
【０００４】
このような背痛を緩和するため、幾らかの人は物理的療法を試みる。他の人は、仕事中に、脊椎を正常な解剖学的直立姿勢に支持するための装具およびクッションを用いて背中を支持することを試みている。しかしながら、これらの支持具は人を背中から支持するように設計されており、従って、仕事中の大部分を前方に曲がった姿勢すなわち前かがみ姿勢をとらなくてはならない歯科医その他の人にとって有効ではない。
【発明の開示】
【発明が解決しようとする課題】
【０００５】
従って、当業界では、人が前方に曲がった姿勢すなわち前かがみ姿勢をとっている間に人の脊椎を支持する器具が要望されている。
また、当業界では、人が前方に曲がった姿勢すなわち前かがみ姿勢をとっている間に下背、中背および上背に作用するストレスを低減させる器具が要望されている。
【０００６】
更に、当業界では、就業活動または日常活動の一部として、前方に曲がった姿勢すなわち前かがみ姿勢を反復してまたは長時間とらなくてはならない人の生産的寿命を延長させる器具が要望されている。
【課題を解決するための手段】
【０００７】
本発明は、支持構造と、該支持構造によりベースから支持されるレストとを有する前かがみ支持具を有している。レストは、使用者が、その胴体の前側をレストに対してもたれ掛けるときに、使用者の胴体をベースから支持できるように構成されている。支持具には、支持構造とベースとの間にインターフェース（境界）としての移動構造を設けることができ、これにより、支持構造をベースに沿って前後に、すなわちレストにもたれ掛かる使用者の胴体の長手方向に対して横方向に移動させることができ、これにより、レストを使用者に対してベースに沿って左方および／または右方に移動させることができる。支持具は、組立体として、例えばベースと支持構造との間、ベースと移動構造との間、支持構造内、支持構造とレストとの間、またはレスト内に１つ以上のピボット構造を設けることができる。このようなピボット構造は、一般に、レストに対して使用者の胴体がもたれ掛かる長手方向に対して横方向に延びるピボット軸線の回りを回動し、これにより、水平面に対するレストの頂面（該頂面で、レストは使用者の胴体を受ける）の角度を調節できる。本発明の支持具は、歯科用椅子に座る患者の上、デスクの上、製図板または製図テーブルの上、自動車のエンジン隔室の上、製造ラインまたは組立てラインまたは製造現場または他の環境内の作業領域の上等で使用者が長時間前方に曲がった姿勢すなわち前かがみ姿勢をとるあらゆる状況で有効である。
【０００８】
本発明の実施形態の第一態様では、本発明は、使用者の胴体をベースから支持できるように構成された支持具を意図している。支持具には、ベースに連結できるように構成された移動構造と、該移動構造に対して作動可能に連結されかつ移動構造から離れる方向に延びている支持構造と、使用者がその胴体を支持すべくもたれ掛かることができるレストとを設けることができ、該レストは支持構造に対して作動可能に連結される。支持構造および移動構造は協働しかつ（ｉ）支持構造が移動構造およびベースに沿って移動できるように、および（ｉｉ）支持構造が、ベースに対して全く移動しないように、ベースに対して所定位置に一時的に固定され、かつ移動構造に沿って支持構造を再び移動させるべく前記固定から後で解放できるように構成されている。
【０００９】
或る実施形態では、移動構造は、歯科用椅子、該歯科用椅子に隣接するベース、デスク、製造ライン上または該製造ラインに隣接するベースまたは他のワークステーションからなる群のうちの１つに対して作動可能に連結できるように構成されている。
【００１０】
或る実施形態では、本発明はこのような支持具を備えた支持組立体からなり、該支持組立体は、移動構造が作動可能に連結されるベースを更に有し、該ベースには、任意であるが製造設備のワークステーションを設けることができる。
【００１１】
或る実施形態では、支持具は、レスト、支持構造および移動構造のうちの少なくとも１つの中および／または前記１つと作動可能に係合するピボット構造を更に有し、任意であるが、レストを支持構造に対して回動可能にすることができる。
【００１２】
或る実施形態では、ピボット構造は、移動構造、支持構造およびレストのうちの少なくとも１つと作動可能な延長構造を更に有し、レストをベースから離れる方向に伸長させおよび／またはベースに向かって収縮させることができる。
【００１３】
或る実施形態では、移動構造は一定長さをもつトラックを備え、支持構造はトラックの長さ方向に沿って作動可能に移動でき、任意であるが、トラックおよび支持構造のうちの少なくとも１つは、支持構造がトラックの長さ方向に沿って移動しないように支持構造を一時的にロックするように構成される。
【００１４】
本発明の実施形態の第二態様では、本発明は、ベースから使用者の前かがみ姿勢の胴体を支持できるように構成された支持具を意図している。支持具は、リニア経路に沿う方向に移動できるように、ベースに対して移動可能に連結されるように構成された移動構造と、該移動構造に対して作動可能に連結されかつ移動構造から離れる方向に延びている支持構造と、前面および後面を備えたレストとを有している。レストの前面と後面との間の想像線が、前記リニア経路を横切って延びている。レストは、使用者が前面からレストに接近してその胴体をレスト上にもたれ掛け、リニア経路を前後方向に横切るように胴体を支持できるように構成されている。
【００１５】
或る実施形態では、レストは、移動構造が横切るリニア経路の少なくとも一部に対して平行な方向に延びているピボット軸線の回りで、支持構造に対して回動する。
本発明の実施形態の第三態様では、本発明は、ベースから使用者の胴体を支持できるように構成された支持具を意図している。支持具は、ベースに連結できるように構成された移動構造と、該移動構造に対して作動可能に連結されかつ移動構造から離れる方向に延びている支持構造と、使用者がその胴体を支持すべくもたれ掛かることができるレストとを有し、該レストはピボット構造により支持構造に回動可能に結合され、該支持構造に対して回動できる。
【００１６】
或る実施形態では、レストは前面および後面を備え、レストは、使用者が前面からレストに接近して、ピボット構造のピボット軸線を横切って使用者の胴体をレスト上にもたれ掛けることができるように構成されている。
【００１７】
本発明の実施形態の第四態様では、本発明は、作業者が被加工物を製造できるように構成された職業的ワークステーションを意図している。本発明の職業的ワークステーションは、加工を行うべき物体を支持する基板と、該基板に対してほぼ固定的に配置される支持組立体とを有し、該支持組立体は、（ｉ）ベースと、（ｉｉ）該ベースに対して作動可能に連結されかつベースから離れる方向に延びている支持構造と、（ｉｉｉ）基板と関連して物体を加工する間に、使用者がその胴体を支持すべくもたれ掛かることができるレストとを有し、該レストは支持構造に対して作動可能に連結されている。
【００１８】
或る実施形態では、職業的ワークステーションは、ベースに連結される移動構造を更に有し、該移動構造は、ベースと支持構造との間のインターフェースとして機能し、ベースおよび基板に対してレストを移動できるようにする。
或る実施形態では、職業的ワークステーションは、レストおよび支持構造のうちの少なくとも１つの中で作動可能に係合するピボット構造を更に有している。
【００１９】
本発明の実施形態の第五態様では、本発明は製造設備を意図しており、本発明の製造設備は、少なくとも第一および第二ワークステーションを有し、該ワークステーションでは、ここでの主な仕事として製造作業が作業者により行われる。前記少なくとも第一および第二ワークステーションは支持組立体を有している。該支持組立体は、ベースと、該ベースに対して作動可能に連結されかつベースから離れる方向に延びている支持構造と、作業者がその胴体を支持すべくもたれ掛かることができるレストとを有し、該レストは支持構造に対して作動可能に連結されている。
【００２０】
或る実施形態では、支持組立体は、ベースに連結されかつベースと支持構造との間の連結具として機能する移動構造を更に有し、ベースへの移動構造の連結は、ベースに対する移動構造、従って支持組立体の移動を可能にすべく作動する。
或る実施形態では、少なくとも第一および第二ワークステーションは、全体として閉鎖された建物内に配置されている。
【００２１】
或る実施形態では、レストは、長さおよび幅方向に充分広いインターフェース頂面を有し、レストの使用者は、その体重が胴体でインターフェース頂面上に支持されるように快適にもたれ掛かることができ、支持組立体は、レストの高さおよび水平平面に対するインターフェース頂面の角度の少なくとも１つに関して、ベースに対するレストの調節を可能にする調節構造を有している。
或る実施形態では、調節構造は、レストが支持構造に対して回動することを可能にする。
【発明を実施するための最良の形態】
【００２２】
本発明の用途は、以下の説明に述べまたは添付図面に示すコンポーネンツの構造または配置の細部に限定されるものではない。本発明は、他の実施形態に構成するか、他の種々の態様で実施できる。また、本明細書で使用されている用語および表現は説明および例示を目的とするものであって、限定的なものではないことを理解すべきである。同類コンポーネンツには、同じ参照番号が使用されている。
【００２３】
図１および図２に示す実施形態では、本発明の支持具１０は、概略的に、パッド入りレスト（台）１２と、傾斜ブラケット１４と、直立ブラケット１６とを有している。パッド入りレスト１２は、傾斜ブラケット１４に対して回動できる。この回動は、図２に示す単一または複数の軸線方向ピボット機構１９の存在により可能になる。
【００２４】
図２に示すように、ブラケット１４は、歯科医を患者の近くに支持すべくレスト１２が配置されるように、直立ブラケット１６から或る角度で延びている。これを達成するため、傾斜ブラケット１４と直立ブラケット１６との間にカプラ１８が設けられており、レスト１２を任意の方向に傾動できる。直立ブラケット１６に対するブラケット１４の角度位置がひとたび所望位置に調節されたならば、カプラ１８を使用して、傾斜ブラケット１４を当該所望位置／角度方向にロックできる。
カプラ１８は、好ましくは、図６に示すように、ねじ摩擦ロック２２を備えたボールスイベル２０を有している。摩擦ロック２２は、ブラケットのボール端が挿入されるリテーナ２３と、ブラケットを所望位置／方向にロックするねじ緊締具２４とを有している。ねじ摩擦ロック２２の代わりに、またはねじ摩擦ロックと組合せて、他のロック用具を考えることができる。
【００２５】
両ブラケット１４、１６は、必要に応じて患者からのレスト１２の距離を変えることができるように、長さを調節できる。図面には、両ブラケットの長さが調節できるものが示されているが、本発明は、ブラケット１４、１６の一方のみが長さ調節できる実施形態をも含んでいる。この長さ調節を可能にするため、少なくとも一方のブラケット１４、１６は、ばね付勢型ピンロック３５を支持している第一ブラケット部材２８と、複数の調節孔３４を備えた第二ブラケット部材３０とを有している。図７ａおよび図７ｂには、調節構造の詳細が示されている。第一部材２８は、入れ子式管状要素の慣用態様で第二部材３０内に受入れられかつ第二部材３０に対して入れ子式に運動する。この場合、ピンロック３５は、該ピンロックがいずれの孔３４とも整合しない第一部材２８と第二部材３０との方向で、第二部材３０の長さに沿って前進される。この入れ子式運動により、それぞれのブラケットの全長を調節できる。所望長さのブラケットが得られたならば、第一および／または第二部材２８、３０を相対回転させる慣用態様で方向変位させ、ピン３５を孔３４の１つと整合させる。この後、ピン３５は、ばね力により、図７ａに示すように第二ブラケット部材３０のそれぞれの孔３４内に入る。ピン３５は、ブラケット部材２８をブラケット部材３０に対して所望長さにロックする機能を有する。かくして、ブラケット１４、１６の一方または両方の長さを調節することにより器具の全長を変えることができる。
【００２６】
図７ａおよび図７ｂには示されていないが、部材２８には、該部材の両側に１つずつ、合計２つのばね付勢型ピンロック３５を設けることができる。同様に、部材３０には、該部材の周方向に１８０°の間隔を隔てた２列の調節孔３４を設けることができる。このような場合には、部材２８は、両ピンロック３５と、これらのそれぞれの列の調節孔３４との相互作用によって、所望高さに保持される。このような２つの補完ピンロックの使用は、ブラケットを所望長さに維持することを容易にする。
【００２７】
図１および図２から理解されようが、ブラケット１６の下端部は、歯科用椅子３８のベースに隣接して配置されるトラック３７に取付けられる。図８に示すように、ブラケット１６の下端部には、トラック３７に沿ってカップリングすなわち載置されるスライドプレート４０が設けられており、該スライドプレート４０は、隆起ロッキングピン４１を有している。トラック３７の長さ方向に沿うブラケット１６のカップリングおよびこれに対応するスライディングにより、支持具１０すなわちレスト１２を椅子３８のベースに沿って移動させることができる。
【００２８】
ブラケット１６をトラック３７に沿う所望位置にロックするため、フットコントロール型ロック４２が設けられている。ロック４２は、ばね付勢型ロッキングバー４３およびピボットマウント４０を有している。ロッキングバー４３は、一連のロッキング孔４４およびｇロッキングバー４３から延びているフットプレート４５を有している。ブラケット１６がトラック３７上のロック位置にあるとき、ロッキングバー４３はスライドプレート４０上に位置しており、ロッキングピン４４が、スライドプレート４０のそれぞれの隆起ロッキングピン４１と係合している。ブラケット１６をロック位置から解放するには、使用者はフットプレート４５を踏み下げ、ロッキングバー４３をピボットマウント４６の回りで回動させる。この回動により、ロッキング孔４４がロッキングピン４１から離脱する。次に、ブラケット１６をトラック３７に沿って新しい位置に移動でき、ここで、それぞれの孔４４がピン４１上に位置決めされて該ピン４１と整合される。ブラケット１６をこの新しい位置にロックするには、使用者はフットプレート４５を解放するだけでよい。フットプレート４５はスライドプレート４１に接触するように押圧されており、孔４４は、再び、下に位置するピン４１と係合する。かくして、支持具１０の位置を、図８に矢印で示すように左右に横方向に変化させて、歯科医または特定患者の好みに適合させることができる。
【００２９】
パッド入りレスト１２は、患者に治療をするときに、歯科医または歯科衛生士等の職業人（作業者）が患者の上に前かがみになるときに使用できる。作業者がこのように前方に曲がった姿勢すなわち前かがみ姿勢にあるとき、作業者の背中は胴体の前方から支持されるので、彼（または彼女）の下背、中背および／または上背が受けるストレスは、このような支持具を用いない同じ姿勢に比べて低減される。支持の源は前方にあるので、作業者は、任意の前かがみ度合いをとって、支持されたまま所要の仕事を行うことができる。
【００３０】
ブラケット１６に対してブラケット１４の角度を調節できることにより、パッド入りレスト１２を、広範囲の方向および回転の任意の位置に傾動させて、特定の体形または性別に適合させることができる。作業者がレストとの接触点を変えることができるように、パッドの量を変えることができる。作業者の快適性および好みに基いて、レストは、腹部領域、胸部領域または前肩領域で作業者と接触することができる。
【００３１】
本発明を使用するため、作業者はブラケット１４の角度、ブラケット１４および／またはブラケット１６の高さ、および歯科用椅子３８に対してに対するブラケット１６の位置を調節する。次に作業者は、患者に治療を行う間にレスト１２に対して前かがみ姿勢をとることができる。或いは、作業者は、椅子に座ったままレスト１２に対して前かがみになって、患者に治療を行うことができる。作業者はレスト１２に対して前かがみ姿勢をとることができるので、このような前かがみ姿勢中に作業者が受ける背中ストレスは低減される。
【００３２】
図９〜図１１には、歯科用椅子に使用する本発明の他の実施形態１００が示されている。この支持具１００は図１の支持具１０と同様であるが、歯科用椅子３８に対する支持具の関係が異なっている。この支持具１００は、歯科用椅子３８のベースまたはフロアに取付けられるのではなく、歯科用椅子の背もたれに取付けられる。図１１から理解されようが、支持具１００は、歯科用椅子３８の一方の側から他方の側に回転でき、作業者が患者のいずれの側からも治療できるフレキシビリティが得られる。また、この支持具１００は、レストの角度、高さおよび位置を調節できるので、更なるフレキシビリティが得られる。或いは、本発明の支持具は、歯科用椅子３８の他の位置、例えば歯科用椅子３８の側部に取付けることもできる。
【００３３】
図９〜図１１に示すように、この実施形態の支持具１００は、概略的に、パッド入りレスト１０２と、ピボット機構１０４と、第一アーム（または上アーム）１０６と、第二アーム（下アーム）１０８と、取付けプレート１１０とを有している。この実施形態では、支持具１００は、後付け器具として歯科用椅子に取付けることができる。図１２には、歯科用椅子の製造時に該椅子に取付けることができる他の実施形態による支持具１００が示されており、これについては以下に更に説明する。
【００３４】
図９〜図１１に戻って説明すると、パッド入りレスト１０２は、図１に示したパッド入りレスト１２と実質的に同一に構成できる。従って、パッド入りレスト１０２は、特定の体形および／または性別に適合する形状およびサイズに形成できる。パッド入りレスト１０２は、ピボット機構１０４の第一端部の近くのピボット点１１２を介してピボット機構１０４に回動可能に結合される。同様に、上アーム１０６の第一端部は、ピボット機構１０４の第二端部の近くのピボット点１１４を介してピボット機構１０４に取付けられる。ピボット機構１０４は、パッド入りレスト１０２を、そのピボット点１１２、１１４の回りでの回動により調節可能にする。パッド入りレスト１０２が所望の角度位置に調節されたならば、パッド入りレスト１０２の位置は、第一ピボット点１１２に配置された緊締具１１６および第二ピボット点１１４に配置された緊締具１１７により所定位置にロックされる。緊締具１１６、１１７は、図９では螺合ねじとして示されているが、緊締具１１６、１１７は、任意の形式のねじまたは他のカップリング器具で構成できる。また、緊締具１１６は、緊締具１１７と同じ形式の緊締具で構成してもよいし、異なる形式の緊締具で構成することもできる。パッド入りレスト１０２は、他の方法で上アーム１０６に取付けることができ、これらの取付け方法も本発明の範囲内にあると考えられる。
【００３５】
支持具１００の高さも調節可能である。このような高さ調節は、上アーム１０６および下アーム１０８の両方に緊締具およびスロット構造により可能になる。図１０から理解されようが、上アーム１０６の第二端部には第一スロット１１８が設けられている。上アーム１０６の第二端部は、下アーム１０８の第一端部に設けられたレール１２０に沿って案内される。ひとたび所望の高さが得られたならば、緊締具１２２が、第一スロット１１８内および下アーム１０８の第一端部に設けられた孔内に挿入され、これにより、上アーム１０６が下アーム１０８に対して所望高さに固定される。図９〜図１１および図１３には緊締具１２２が螺合ねじとして示されているが、緊締具１２２は、任意の形式のねじまたは他のカップリング器具で構成できる。上アーム１０６と下アーム１０８とを互いに取付ける他の方法も可能であり、本発明の範囲内で考えることができる。
【００３６】
下アーム１０８の第二端部に設けられたスロット／ねじ構造は、支持具１００を、歯科用椅子３８の一方の側から他方の側に回転できるようにする。好ましい実施形態では、支持具１００は歯科用椅子３８の一方の側から他方の側へと１２０°の範囲で回転できるが、この運動範囲内に限定されるものではない。
【００３７】
図１１から明らかなように、支持具１００の角度位置を調節するには、緊締具１２６を緩めて支持具１００の角度位置を調節（破線で示すように調節）し、緊締具１２６を再び緊締する。かくして、この構成により支持具１００を各位置にロックでき、これにより、作業者は患者の両側で治療することができる。支持具１００の角度位置が調節されると同時に、スロット１２４に沿って下アーム１０８を摺動させかつ所望高さが得られた後に緊締具１２６を緊締することにより、支持具１００の高さも調節できる。
【００３８】
支持具１００は、取付けプレート１１０を介して歯科用椅子３８に取付けることができる。図９〜図１１には歯科用椅子の背もたれ１２８に取付けられる取付けプレート１１０が示されているが、歯科用椅子３８の側部等の他の取付け位置も可能である。図１０および図１１には、取付けプレート１１０が、歯科用椅子３８の側部に対して背もたれ１２８の実質的に中央に配置されているところが示されているが、取付けプレート１１０は、椅子の背もたれ１２８上のいずれの位置にも配置できるものである。
【００３９】
取付けプレート１１０は、ねじのような複数の緊締具１３０により歯科用椅子３８の背もたれ１２８に固定できる。図１０には、４本のねじにより歯科用椅子３８の背もたれに固定されているところが示されているが、緊締具の個数および形式は、既知の技術に従って変えることができる。
【００４０】
図１２は、支持具１００を歯科用椅子３８に取付けるための他の第三実施形態を示すものである。この実施形態では、支持具１００は、歯科用椅子３８の最初の製造時に該椅子に取付けることができるとともに、後付け製品としても入手できる。従って、取付けブラケット１１０を用いる代わりに、支持具１００は、回転可能なベース（回転ベース）１３２を用いて歯科用椅子３８の背もたれ１２８に取付けられる。回転ベース１３２は、歯科用椅子３８と一体に製造できるし、或いは製造時に歯科用椅子３８に取付けられる別体器具として構成することもできる。
【００４１】
図１２には、回転ベース１３２が歯科用椅子３８の側部に対して背もたれ１２８の実質的に中央に配置されているところが示されているが、回転ベース１３２は背もたれ１２８上のいずれの位置にも配置できる。また、回転ベース１３２は、歯科用椅子３８の他の位置、例えば歯科用椅子の側部に取付けることもできる。
【００４２】
回転ベース１３２は、支持具１００を、歯科用椅子３８の一方の側から他方の側に、破線で示すように回転可能にする回転構造を有している。好ましい実施形態では、支持具１００は歯科用椅子３８の一方の側から他方の側へと１２０°回転できるが、この移動範囲に限定されるものではない。
【００４３】
支持具１００の角度位置が調節されると同時に、スロット１２４に沿って下アーム１０８を摺動させることにより、支持具１００の高さも調節できる。この実施形態では、緊締具１３４は、支持具１００を各位置にロックでき、このため、作業者が患者の両側または後方からも治療できるフレキシビリティが得られる。図１２には、緊締具１３４が螺合ねじとして示されているが、緊締具１３４は、任意の形式のねじまたは例えばのカップリング器具を使用することもできる。支持具１００を所定位置にロックする他の方法も可能である。
【００４４】
図１、図２、図６、図７ａ、図７ｂおよび図８〜図１２は、椅子内で患者を治療するための医療用椅子（椅子は、平面図で見たとき、突出した周囲を本質的に有している）に使用するものを示している。図１、図２、図６、図７ａ、図７ｂおよび図８の実施形態は、医療用椅子の背もたれの周囲に延びている突出周囲の部分に沿う、支持具の横方向調節を示している。
【００４５】
本発明は、歯科用椅子での使用に限定されるものではない。本発明の支持具は、人が前方に曲がった姿勢または前かがみ姿勢で大きいエネルギを費やす他の環境でも有益に使用できる。例えば、ベンチ上にもたれる姿勢で１日の多くの時間を費やす研究者も、本発明の利益を得ることができる。また本発明は、カウンタトップ、デスクトップまたはワークベンチ上に１日中前かがみ姿勢をとる人のような他の人にも有益である。
【００４６】
例えば図３は、デスク、テーブルまたはワークベンチ５０に使用する本発明の他の実施形態４８を示すものである。この実施形態４８は、概略的に、パッド入りレスト５２および直立ブラケット５４を有している。レスト５２の角度を調節するため、レスト５２とブラケット５４との間には、図６に示したようなねじ摩擦ロック（図示せず）を備えたボールスイベル（図示せず）が設けられている。ブラケット５４にも、図７ａおよび図７ｂの入れ子式構造が設けられており、これにより、支持具すなわちレスト５２の高さを調節できる。ブラケット５４のデスク５０に対する水平横方向位置を調節できるようにするため、ブラケット５４の下端部にはスライド６２が設けられかつデスク５０にはトラック６４が設けられている。スライド６２は、慣用態様でトラック６４に沿って移動する。ブラケット５４をトラック６４に沿う或る位置にロックするため、摩擦ロック６８が係合される。他の構成として、ブラケット５４の下端部に、図４に示すような「Ｃクランプ」型マウント７０を設けることができる。このようなクランプ７０は、ボールジョイントピボットとともに、支持具をデスクまたはワークベンチ５０の縁部に直接取付けることができる。
【００４７】
また、本発明は、種々のレクリエーション、趣味および他の非職業的活動に関しても有効である。これらに限定されるものではないが、このような活動として、クラフトワーク、芸術作品の創造、美術品修復、針仕事、および前かがみ姿勢での読書等を行うシニア世代の種々の活動がある。本明細書の開示から、当業者ならば、ベースから使用者に前方からの支持を行うのに必要な、職業的および非職業的活動およびレクリエーション用のこのような活動支持構造を容易に設計しかつ製造できるであろう。
【００４８】
図５には、ガーデニング等のレクリエーション活動またはニーリング（kneeling）を含む活動に使用するための、本発明の更に別の実施形態８０が示されている。このような支持具には、パッド入りレスト８２と、調節可能な垂直ブラケット８４と、ブラケット８４の下端部のフットプレート８６とを設けることができる。図示のように、支持具のパッド入りレスト８２にはネックすなわちショルダストラップ８８を取付けることができ、これにより、使用者は、手を使用することなく位置を変えることができる。
【００４９】
この支持具のレスト８２とブラケット８４との間には、ブラケット８４に対するレスト８２の角度を変えるためのカップリング９０を設けることができる。また、ブラケット８４とフットプレート８６との間には、カップリング９２を設けることもできる。これらの各カップリングは、図６に示したのと同様に、ねじ摩擦ロックを備えたボールスイベルの形態にすることができる。ブラケット８４は、この高さを調節できるように、図７ａおよび図７ｂに示すような入れ子式構造を設けることができる。
【００５０】
図１３には更に別の実施形態が示されており、この実施形態では、本発明の支持具１０が製造環境で使用されている。図１３から明らかなように、製造ラインの前縁部には、第一および第二支持具１０Ａ、１０Ｂが取付けられる。図示のように、製造ライン１３６は細長ワークスペースすなわちベース、例えば構造的支持フレームを有し、該支持フレームは、被加工物１３８が配置されるテーブルトップまたはコンベアベルト等の頂面を備えている。平らな表面以外の構造を、被加工物の支持に使用することもできる。被加工物を支持する支持構造として、例えば、ピン、フック、チェーン、フレーム並びに種々の他の既知の構造を使用できる。
【００５１】
支持具１０は、製造ラインの長さ方向に間隔を隔てた位置で、ワークスペースの前縁部に取付けられる。各支持具１０は、摩擦ロック６８から支持ブラケット５４上に支持されたレスト１２を有している。摩擦ロック６８は、トラック６４により支持されかつロック解除されたときは該トラック６４に沿って摺動できる。
【００５２】
例えば図３の実施形態におけるように、ブラケット５４は、例えば同様な孔／ピン調節構造を用いて、所望に応じて高さ調節をすることができる。
レスト１２は、該レスト１２とブラケット５４との間のピボット構造（図示せず）により回動できる。このようなピボット構造は、製造ライン１３６の長さ方向にほぼ整合した一軸線の回りでレストを全体的に回動させることができる。
【００５３】
レスト１２は、前面１４０と、後面１４２と、これらの間の頂面１４４とを有している。支持具１０のピボット構造により、作業者が、前方から支持具１０に接近し、レスト１２の頂面上に作業者の胴体の前側をもたれ掛け、かつ水平面に対してレストの角度を調節して、胴体の前側の傾斜角度とほぼ一致させることができ、これにより、レスト１２が胴体の前側とほぼ整合するため、胴体の面とレストの頂面との間に最大の面対面接触が達成され、従って、レスト上での胴体重量の非常に快適な分散を達成できる。
【００５４】
或る場合には、レスト１２をリアルタイムで動的に回動できるようにして、作業者が体重をレスト上に加えるときに、作業者の身体の運動に対してレストの角度を連続的に調節するように構成できる。他の場合には、ひとたびレストの所望方向が達成されたならば、レストは固定回動方向にロックされる。
【００５５】
いずれの場合にも、作業者は、例えば製造ライン上の被加工物１３８を加工するときに、前かがみになって、上半身の体重をレスト上にかける。
特許請求の範囲の記載を含む本明細書で使用される用語「ベース」とは、レストを支持するあらゆる基礎を意味する。ベースは、レストの下、レストの上、および水平、垂直または水平と垂直との間の任意の角度を含む任意の方向に配置できる。ベースは、レストを支持する基礎を形成する限り、広範囲の種々の形状にすることができる。従って、ベースは、例えばフロア自体、フロア取付け型ブラケット、天井取付け型ブラケット、壁取付け型ブラケット、およびフロア、天井または壁に取付けられる構造体に取付けられるブラケットで構成できる。ベースは、例えばフロア、天井または壁から安定化されるかなり重量のある物体で構成できる。このようなベースの一例として、歯科用椅子等の重量椅子、ワークステーションを支持するフレーム等がある。
【００５６】
特許請求の範囲の記載を含む本明細書で使用される用語「製造」、「製造する」等とは、多数の部品の組立てまたは結合を含む物理的、化学的、電気的または他の変換または材料を含む広範囲の人工的変換を意味するが、これらに限定されるものではない。「製造」および「製造する」には、被加工物の修正、多数の部品の組立ておよび／または次のレベルの組立体への２次組立て、および被加工物および／または２次元組立体の一体組立て等の活動が含まれる。
【００５７】
本発明は或る実施形態に関連して説明したが、本発明はこれらの特定実施形態に限定することを意図するものではないことを理解すべきである。逆に、本発明の精神および範囲内に包含されるあらゆる変更、修正および均等物をカバーするものである。
【００５８】
当業者ならば、例示の実施形態に関連して本明細書に開示した装置および方法について、本発明の精神から逸脱することなく或る変更をなし得ることが理解されよう。本発明は好ましい実施形態に関して説明したが、多くの改変、修正および変更を行うことができ、これらの変更等は特許請求の範囲内に包含されるものであることを理解されたい。
【００５９】
特許請求の範囲の記載が手段に加えて機能的表現を使用している点で、本発明には、本明細書に開示した実施形態に示されたものと構造的に均等でないものをも包含することを意味するものではない。
【図面の簡単な説明】
【００６０】
【図１】歯科用椅子に隣接して取付けられた本発明の支持具を示す斜視図である。
【図２】図１に示した器具を示す正面図である。
【図３】机に使用する本発明の他の実施形態を示す斜視図である。
【図４】図３の実施形態用の他のアタッチメントを示す斜視図である。
【図５】ガーデニング等の活動に使用する本発明の更に別の実施形態を示す部分分解斜視図である。
【図６】本発明に有効なカプラの部分分解斜視図である。
【図７ａ】本発明の入れ子式構造を示す例示斜視図である。
【図７ｂ】本発明の入れ子式構造を示す例示斜視図である。
【図８】歯科用椅子に使用する本発明のカップリングおよびロッキング機構を示す部分分解斜視図である。
【図９】歯科用椅子に使用する本発明の他の実施形態を示す側面図である。
【図１０】図９に示した器具の斜視図である。
【図１１】図９に示した器具の後面図である。
【図１２】歯科用椅子に使用する本発明の他の実施形態を示す後面図である。
【図１３】製造ライン環境で本発明の器具を使用しているところを示す斜視図である。
【符号の説明】
【００６１】
１０  支持具
１２  パッド入りレスト
１４  傾斜ブラケット
１６  直立ブラケット
２８  第一ブラケット部材
３０  第二ブラケット部材
３７  トラック
３８  歯科用椅子
４０  スライドプレート
４２  フットコントロール型ロック
【図１】
0004560041.tif 000002
【図２】
0004560041.tif 000003
【図３】
0004560041.tif 000004
【図４】
0004560041.tif 000005
【図５】
0004560041.tif 000006
【図６】
0004560041.tif 000007
【図７ａ】
0004560041.tif 000008
【図７ｂ】
0004560041.tif 000009
【図８】
0004560041.tif 000010
【図９】
0004560041.tif 000011
【図１０】
0004560041.tif 000012
【図１１】
0004560041.tif 000013
【図１２】
0004560041.tif 000014
【図１３】
0004560041.tif 000015